(57)【要約】【課題】  所定範囲の大きさの食器を互いに接触することなく安定して収納できると共に、簡易な構成でコストダウンが可能な食器収納ラックを提供する。【解決手段】  底面３１を有する箱形ラック３と、所定範囲の大きさの円形状の食器を収納する格子ユニット９５を形成している上部格子状部材９と、上部格子状部材９の格子ユニット９５に対応する格子ユニット５５を形成している下部格子状部材５と、スペーサ７とを備え、取り付け状態において、箱形ラック３の底面３１から上部格子状部材９の最上縁までの高さは、最大食器１７の外径の略半分であり、下部格子状部材５の最上縁までの高さは、最小食器１５の外径の略半分であり、格子ユニット９５、５５の幅方向の長さは、最大食器１７の外径と略同等であることを特徴とする。【選択図】        図５
2005040357.tif 000002
【特許請求の範囲】
【請求項１】
所定範囲の大きさの円形状の食器を列方向及び幅方向に収納する食器収納ラックにおいて、
底面を有する箱形ラックと、
前記所定範囲の大きさの円形状の食器のそれぞれを収納する格子ユニットを形成している上部格子状部材と、
該上部格子状部材の前記格子ユニットに対応する格子ユニットを形成している下部格子状部材と、
前記上部格子状部材と前記下部格子状部材とを高さ方向に接続しているスペーサと
を備え、
取り付け状態において、前記箱形ラックの前記底面から前記上部格子状部材の最上縁までの高さは、前記所定範囲の大きさの円形状の食器の最大外径の略半分であり、前記箱形ラックの底面から前記下部格子状部材の最上縁までの高さは、前記所定範囲の大きさの円形状の食器の最小外径の略半分であり、前記格子ユニットの前記幅方向の長さは、前記所定範囲の大きさの円形状の食器の最大外径と略同等であることを特徴とする食器収納ラック。
【請求項２】
前記下部格子状部材の前記格子ユニットは、取り付け状態において、下向きに凸形状である凸部を前記幅方向に有し、該凸部の高さが前記所定範囲の大きさの円形状の食器の最小外径の略半分であることを特徴とする請求項１に記載の食器収納ラック。
【請求項３】
前記下部格子状部材の前記凸部は、その頂部に前記列方向に延在している直線状部材を、さらに備えることを特徴とする請求項１または２に記載の食器収納ラック。
【請求項４】
前記スペーサは、前記高さ方向両端縁に凹形状に形成されている嵌合部を有し、該嵌合部により、前記下部格子状部材及び前記上部格子状部材を着脱自在に接続していることを特徴とする請求項１ないし３のいずれかに記載の食器収納ラック。
【発明の詳細な説明】
【技術分野】
【０００１】
本発明は、食器収納ラックに関し、特に、所定範囲の大きさの円形状の食器を列方向及び幅方向に収納する食器収納ラックに関する。
【背景技術】
【０００２】
従来、食器洗浄や運搬用に様々な大きさの食器を保持するため、食器収納スペースを格子状に形成した食器収納ラックが利用されている。典型的な例として、例えば、図８に示されるように、方形状の線状部材１００と、この線状部材１００の列方向に延在する側辺１００ａと直交して、幅方向に延在し、列方向に配列された複数のＭ字状の線状部材１０３とにより一体に形成され、食器収納スペースが列方向及び幅方向に形成されている食器収納ラックが用いられている。また、このような食器を起立した状態で確実に保持するように工夫された食器収納ラックが提案されている（例えば、特許文献１参照）。さらに、こうした食器収納ラックを上下に積み重ねる構造により、スペースの有効利用を図った食器収納ラックが提案されている（例えば、特許文献２参照）。
【特許文献１】特開平８−１１２２３６号公報
【特許文献２】特開２００３−７９５６３号公報
【発明の開示】
【発明が解決しようとする課題】
【０００３】
しかしながら、従来利用されてきた食器収納スペースを格子状に形成した食器収納ラックや、上述の特許文献１、２に開示された食器収納ラックにおいては、様々な食器を収納する必要があるため、食器収納スペースを形成している線状部材が三次元的に複雑な形状とならざるを得ず（図８参照）、また、こうした線状部材を一体の籠として形成しているため、加工が複雑であり、コストダウンが困難であるという問題を生じていた。
【０００４】
また、例えば図８に示されるように、収納スペースを列方向及び幅方向に格子状に配置する場合は、デッドスペースが大きくなると共に、予め収納対象となる食器のサイズを明示していたとしても、作業者の錯覚や錯視により、所定の範囲外の小さい食器が収納される場合が生じ易い。こうした場合に、例えば、食器が収納された食器収納ラックを洗浄器等で洗浄した際には、幅方向に隣接する食器同士が互いに接触し、収納した食器が損傷するといった問題を生じていた。特に、円形状の食器の場合は、運搬時や洗浄時の食器の転がり等により、円形状の食器が移動し易く、これにより、幅方向に隣接する食器同士が互いに接触して、食器がダメージを受け易いという問題が生じていた。
【０００５】
そこで、本発明は上記のような従来技術の問題点に鑑みて、所定範囲の大きさの食器を互いに接触することなく安定して収納できると共に、簡易な構成でコストダウンが可能な食器収納ラックを提供することを目的とする。
【課題を解決するための手段】
【０００６】
上記目的を達成するために、本発明の食器収納ラックは、所定範囲の大きさの円形状の食器を列方向及び幅方向に収納する食器収納ラックにおいて、底面を有する箱形ラックと、前記所定範囲の大きさの円形状の食器のそれぞれを収納する格子ユニットを形成している上部格子状部材と、該上部格子状部材の前記格子ユニットに対応する格子ユニットを形成している下部格子状部材と、前記上部格子状部材と前記下部格子状部材とを高さ方向に接続しているスペーサとを備え、取り付け状態において、前記箱形ラックの前記底面から前記上部格子状部材の最上縁までの高さは、前記所定範囲の大きさの円形状の食器の最大外径の略半分であり、前記箱形ラックの底面から前記下部格子状部材の最上縁までの高さは、前記所定範囲の大きさの円形状の食器の最小外径の略半分であり、前記格子ユニットの前記幅方向の長さは、前記所定範囲の大きさの円形状の食器の最大外径と略同等であることを特徴とする。
【０００７】
このように構成した本発明に係る食器収納ラックによれば、底面を有する箱形ラックと、所定範囲の大きさの円形状の食器のそれぞれを収納する格子ユニットを形成している上部格子状部材と、この上部格子状部材の格子ユニットに対応する格子ユニットを形成している下部格子状部材と、上部格子状部材と下部格子状部材とを高さ方向に接続しているスペーサとを備え、取り付け状態において、箱形ラックの底面から上部格子状部材の最上縁までの高さが、所定範囲の大きさの円形状の食器の最大外径の略半分であり、箱形ラックの底面から下部格子状部材の最上縁までの高さが、所定範囲の大きさの円形状の食器の最小外径の略半分であり、格子ユニットの幅方向の長さが、所定範囲の大きさの円形状の食器の最大外径と略同等であるので、取り付け状態において、上部格子状部材、下部格子状部材及びスペーサにより、所定範囲の大きさの円形状の食器に応じた格子ユニットが形成される。これにより、作業者の錯覚等により範囲外の大きさの食器がラックに収納されることがなく、隣接する食器同士の接触による食器の損傷を防止することができる。また、上部格子状部材と下部格子状部材とを別体で形成し、これらをスペーサにより接続しているので、スペーサが仕切り板の役割を果たし、円形状の食器の格子ユニット内での転がり等の移動による隣接する食器との接触を防止することができると共に、上部格子状部材や下部格子状部材といった線状部材の加工が容易になる。これにより、簡易な構成で食器を収納する格子ユニットが形成でき、食器収納ラック全体のコストダウンを実現することができる。
【０００８】
ここで、前記下部格子状部材の前記格子ユニットは、取り付け状態において、下向きに凸形状である凸部を前記幅方向に有し、該凸部の高さが前記所定範囲の大きさの円形状の食器の最小外径の略半分であってもよい。
【０００９】
このように構成した場合は、下部格子状部材の格子ユニットが、取り付け状態において、下向きに凸形状である凸部を幅方向に有し、この凸部の高さが所定範囲の大きさの円形状の食器の最小外径の略半分であるので、下部格子状部材を箱形ラックの底面に載置するだけで、下部格子状部材の所定の取り付け高さが確保でき、これにより、格子ユニットを形成する格子状部材の箱形ラックへの取り付けがより容易になる。
【００１０】
また、前記下部格子状部材の前記凸部は、その頂部に前記列方向に延在している直線状部材を、さらに備えてもよい。
【００１１】
このように構成した場合は、下部格子状部材の凸部は、その頂部に列方向に延在している直線状部材をさらに備えているので、この直線状部材が仕切りの役割を果たし、円形状の食器の格子ユニット内での転がり等の移動による隣接する食器との接触を防止することができ、より簡易に食器収納ラックを構成することができる。
【００１２】
さらに、前記スペーサは、前記高さ方向両端縁に凹形状に形成されている嵌合部を有し、該嵌合部により、前記下部格子状部材及び前記上部格子状部材を着脱自在に接続してもよい。
【００１３】
このように構成した場合は、スペーサが、高さ方向両端縁に凹形状に形成されている嵌合部を有し、この嵌合部により、下部格子状部材及び上部格子状部材を着脱自在に接続しているので、下部格子状部材、上部格子状部材及びスペーサの箱形ラックへの取り付けがより一層容易になる。
【発明の効果】
【００１４】
本発明の請求項１に記載の食器収納ラックによれば、底面を有する箱形ラックと、所定範囲の大きさの円形状の食器のそれぞれを収納する格子ユニットを形成している上部格子状部材と、この上部格子状部材の格子ユニットに対応する格子ユニットを形成している下部格子状部材と、上部格子状部材と下部格子状部材とを高さ方向に接続しているスペーサとを備え、取り付け状態において、箱形ラックの底面から上部格子状部材の最上縁までの高さが、所定範囲の大きさの円形状の食器の最大外径の略半分であり、箱形ラックの底面から下部格子状部材の最上縁までの高さが、所定範囲の大きさの円形状の食器の最小外径の略半分であり、格子ユニットの幅方向の長さが、所定範囲の大きさの円形状の食器の最大外径と略同等であるので、取り付け状態において、上部格子状部材、下部格子状部材及びスペーサにより、所定範囲の大きさの円形状の食器に応じた格子ユニットが形成される。これにより、作業者の錯覚等により範囲外の大きさの食器がラックに収納されることがなく、隣接する食器同士の接触による食器の損傷を防止することができる。また、上部格子状部材と下部格子状部材とを別体で形成し、これらをスペーサにより接続しているので、スペーサが仕切り板の役割を果たし、円形状の食器の格子ユニット内での転がり等の移動による隣接する食器との接触を防止することができると共に、上部格子状部材や下部格子状部材といった線状部材の加工が容易になる。これにより、簡易な構成で食器を収納する格子ユニットが形成でき、食器収納ラック全体のコストダウンを実現することができる。
【００１５】
また、請求項２に記載の食器収納ラックによれば、前記請求項１において、下部格子状部材の格子ユニットが、取り付け状態において、下向きに凸形状である凸部を幅方向に有し、この凸部の高さが所定範囲の大きさの円形状の食器の最小外径の略半分であるので、下部格子状部材を箱形ラックの底面に載置するだけで、下部格子状部材の所定の取り付け高さが確保でき、これにより、格子ユニットを形成する格子状部材の箱形ラックへの取り付けがより容易になる。
【００１６】
また、請求項３に記載の食器収納ラックによれば、前記請求項１または２において、下部格子状部材の凸部が、その頂部に列方向に延在している直線状部材をさらに備えているので、この直線状部材が仕切りの役割を果たし、円形状の食器の格子ユニット内での転がり等の移動による隣接する食器との接触を防止することができ、より簡易に食器収納ラックを構成することができる。
【００１７】
また、請求項４に記載の食器収納ラックによれば、前記請求項１ないし３のいずれかにおいて、スペーサが、高さ方向両端縁に凹形状に形成されている嵌合部を有し、この嵌合部により、下部格子状部材及び上部格子状部材を着脱自在に接続しているので、下部格子状部材、上部格子状部材及びスペーサの箱形ラックへの取り付けがより一層容易になる。
【発明を実施するための最良の形態】
【００１８】
以下図面を参照して、本発明の好適な実施形態について説明する。
【００１９】
なお、本明細書中、列方向とは、食器をラックに収納した状態において、食器の厚さ方向の配列方向をいうものとし、幅方向とは、食器をラックに収納した状態において、食器の径方向の配列方向をいうものとする。
【００２０】
まず、本発明に係る食器収納ラックの一実施形態の構成について、図１を参照して説明する。図１は本発明に係る食器収納ラックの一実施形態の構成を示す斜視図である。
【００２１】
図１に示されるように、本発明に係る食器収納ラック１は、箱形ラック３の底面３１に、下部格子状部材５が載置されており、この下部格子状部材５の上端縁に、高さ方向両端縁に嵌合部を有するスペーサ７が、下端に形成された嵌合部を介して取り付けられており、さらに、このスペーサ７の上端に形成された嵌合部を介して、上部格子状部材９が取り付けられている。ここで、スペーサ７は、図１においては、箱形ラック３内の列方向に延在するように配置されているが、これと直交する幅方向に延在するように配置してもよい。また、底面３１を有する箱形ラック３は、係合部３３を介して高さ方向に積み重ねることが可能なユニット構造となっており、従来と同様な箱型ラックを用いることができる。
【００２２】
次に、食器収納ラック１を構成している各部材の詳細について、図２〜図４を参照して説明する。ここで、図２は本発明に係る下部格子状部材５を示す斜視図であり、図３は本発明に係るスペーサ７を示す斜視図であり、図４は発明に係る上部格子状部材９を示す斜視図である。
【００２３】
下部格子状部材５は、図２に示されるように、列方向に延在している複数の直線状部材５１と、これら複数の直線状部材５１を横断するように幅方向に延在している複数の線状部材５３とが一体となって、格子状に形成されている。そして、隣接している２本の直線状部材５１と、この２本の直線状部材５１と直交して互いに隣接している２本の線状部材５３とにより、所定の範囲の大きさの食器のそれぞれを収納するスペースである格子ユニット５５が形成されている。ここで、隣接している２本の直線状部材５１の間隔は、所定範囲の大きさの円形状の食器の内、最大外径を有する食器の外形と略同等に形成されている。また、線状部材５３は、それぞれの格子ユニット５５の幅方向略中央部分において、下向きに凸形状である矩形凸部５７がそれぞれ形成されており、この凸部５７の高さが、所定範囲の大きさの円形状の食器の内、最小外径を有する食器の半径と略同等に形成されている。なお、隣接している２本の線状部材５３の間隔は、収納する食器の厚さに応じて、適宜選定することができる。
【００２４】
このように、下部格子状部材５の線状部材５３のそれぞれは、取り付け状態において、下向きに凸形状である矩形凸部５７を幅方向に有し、この凸部５７の高さが所定範囲の大きさの円形状の食器の最小外径の略半分であるので、下部格子状部材５を箱形ラック３の底面３１に載置するだけで、下部格子状部材５の所定の取り付け高さが確保でき、これにより、格子ユニットを形成する格子状部材５、９の箱形ラック３への取り付けがより容易になる。
【００２５】
次に、スペーサ７は、図３に示されるように、ポリプロピレン等の熱可塑性樹脂で形成された板状体であり、高さ方向の両端縁に長手方向と略直交する方向に凹形状に形成されている下部嵌合部７１及び上部嵌合部７３を有している。そして、これらの下部嵌合部７１及び上部嵌合部７３の凹形状のそれぞれは、下部格子状部材５及び上部格子状部材９を構成する線状部材を着脱自在に受け入れるように形成されている。なお、スペーサ７の高さにより、上部格子状部材９の箱型ラック３の底面３１からの高さが規定されるが、スペーサ７の高さを高くし過ぎると、作業者が食器を列方向に隣接する収納スペースに亘って、斜めに誤挿入し易くなる。従って、スペーサ７の高さは、後述するように、箱型ラック３の底面３１から上部格子状部材９までの距離が、所定範囲の大きさの円形状の食器の最大外径の略半分となるような高さであることが好ましい。ここで、下部嵌合部７１及び上部嵌合部７３と下部格子状部材５及び上部格子状部材９との接続は、格子状部材のそれぞれを構成する線状部材と、下部嵌合部７１及び上部嵌合部７３の凹状部とを適当な治具を用いて圧着することにより、互いを固定することができる。
【００２６】
このように、下部格子状部材５と上部格子状部材９とをスペーサ７により接続しているので、スペーサ７が仕切り板の役割を果たし、円形状の食器の格子ユニット内での転がり等の移動による隣接する食器との接触を防止することができる。また、スペーサ７は、高さ方向両端縁に凹形状に形成されている嵌合部７１、７３を有し、この嵌合部７１、７３により、下部格子状部材５及び上部格子状部材９を着脱自在に接続しているので、下部格子状部材５、上部格子状部材９及びスペーサ７の箱形ラック３への取り付けがより一層容易になる。さらに、従来のように格子ユニットを形成する線状部材を一体で形成する場合に比し、下部格子状部材５と上部格子状部材９を別体で形成し、これらをスペーサ７により接続しているので、線状部材の加工が容易になる。これにより、簡易な構成で食器を収納する格子ユニットが形成できると共に、食器収納ラック１全体のコストダウンを実現することができる。
【００２７】
次に、上部格子状部材９は、図４に示されるように、列方向に延在している複数の直線状部材９１と、これら複数の直線状部材９１を横断するように幅方向に延在している複数の直線状部材９３とが一体となって、格子状に形成されている。そして、隣接している２本の直線状部材９１と、この２本の直線状部材９１と直交して互いに隣接している２本の直線状部材９３とにより、所定の範囲の大きさの食器のそれぞれを収納するスペースである格子ユニット９５が形成されている。ここで、格子ユニット９５のそれぞれと、前述した下部格子状部材５の格子ユニット５５のそれぞれとは、取り付け状態において互いに対応し、上述した所定の範囲の大きさの食器のそれぞれを収納するユニットを形成している。また、隣接している２本の直線状部材９１の間隔は、前述した下部格子状部材５と同様に、所定範囲の大きさの円形状の食器の内、最大外径を有する食器の外形と略同等に形成されている。
【００２８】
なお、上部格子状部材９の格子ユニット９５を形成している線状部材９１、９３は、いずれも直線状の部材を用いて、下部格子状部材５とは異なる形状となっているが、簡単のため下部格子状部材５と同一形状のものを上部格子状部材９として用いてもよい。
【００２９】
このように構成された、本発明に係る食器収納ラック１の取り付け状態における各構成部材の位置関係について、図５を参照して具体的に説明する。図５は取り付け状態における各構成部材の位置関係を模式的に示す図である。
【００３０】
ここで、本発明に係る食器収納ラックが収納対象とする食器の大きさの範囲として、例えば、有効皿直径が、Φ１２６ｍｍ〜Φ１４７ｍｍである円形状の皿とする。
【００３１】
このような大きさの範囲の皿を収納対象とする場合に、取り付け状態における各構成部材の位置関係は、図５に示されるように、まず、箱型ラック３の底面３１から、上部格子状部材９の最上縁までの距離Ｘは、最大皿１７の外径Φ１４７ｍｍの半分であり、１４７／２＝７３．５ｍｍとして規定される。また、箱形ラック３の底面３１から下部格子状部材５の最上縁までの距離Ｙは、最小皿１５の外径Φ１２６ｍｍの半分であり、１２６／２＝６３ｍｍとして規定される。さらに、格子ユニット９５、５５の幅方向の長さＷは、最大皿１７の外径Φ１４７ｍｍとして規定される。実際には、裕度をもたせるため、例えば、Ｘ＝７３．５＋０．５＝７４ｍｍ、Ｙ＝６３−１＝６２ｍｍ、Ｗ＝１４７＋１＝１４８ｍｍのように規定される。
【００３２】
このように、箱型ラック３の底面３１から、上部格子状部材９までの距離Ｘ、箱形ラック３の底面３１から下部格子状部材５までの距離Ｙ、格子ユニット９５、５５の幅Ｗが、取り付け状態において実現されている本発明に係る食器収納ラック１においては、例えば、最大外径Φ１４７よりも大きい外径を有する食器については、格子ユニット９５、５５の幅方向の長さＷにより規制され、格子ユニット９５、５５内に挿入することができない。従って、作業者の錯覚や錯視により、所定範囲よりも大きい食器が収納されることがない。また、最大皿１７が収納された場合には、上部格子状部材９の高さＸが、最大皿１７の半径とほぼ同等であり、若干これを上回っているので、最大皿１７の外周が、上部格子状部材９の上端を越えて、隣接する格子ユニット９５内に侵入することがない。これにより、隣接する食器同士の接触による食器へのダメージを防止することができる。また、最小皿１５が収納された場合には、下部格子状部材５の高さＹが、最小皿１５の半径とほぼ同等であり、若干これを下回っているので、最小皿１５が格子ユニット５５内の幅方向に回転して移動しても、最小皿１５の外周が、下部格子状部材５の下端を越えて、隣接する格子ユニット５５内に侵入することがない。これにより、隣接する食器同士の接触による食器へのダメージを防止することができる。さらに、所定範囲内の大きさの食器が収納されて、食器が転がり等により格子ユニット５５、９５及びスペーサ７により形成される空間内を幅方向に移動しても、高さＸで規定されている上部格子状部材９及び高さＹで規定されている下部格子状部材５を高さ方向に接続しているスペーサ７が仕切り板の役割を果たし、隣接する格子ユニット５５、９５内への侵入が妨げられる。これにより、同様に、隣接する食器同士の接触による食器へのダメージを防止することができる。
【００３３】
このように、食器収納ラック１は、取り付け状態において、箱形ラック３の底面３１から上部格子状部材９の最上縁までの高さＸが、最大皿１７の外径の略半分であり、箱形ラック３の底面３１から下部格子状部材５の最上縁までの高さＹが、最小皿１５の外径の略半分であり、格子ユニット９５、５５の幅方向の長さＷが、最大皿１７の外径と略同等であるので、取り付け状態において、上部格子状部材９、下部格子状部材５及びスペーサ７により、所定範囲の大きさの円形状の食器に応じた格子ユニット９５、５５が形成される。これにより、作業者の錯覚等により範囲外の大きさの食器がラックに収納されることがなく、隣接する食器同士の接触による食器の損傷を防止することができる。
【００３４】
次に、本発明に係る食器収納ラックの別の実施形態について、図６を参照して説明する。図６は本発明に係る食器収納ラックの別の実施形態１Ａにおける各構成部材の位置関係を模式的に示す図である。なお、先の実施形態と同様な部材については、簡単のため同様な符号を付するものとする。
【００３５】
本実施形態における下部格子状部材５Ａは、先の実施形態における下部格子状部材５に比し、下向きに凸形状である矩形凸部５７がそれぞれ形成されている線状部材５３は、さらに、この凸部５７の頂部中央において、列方向に延在している中央部直線状部材５７Ａを有している。また、隣接している格子ユニット５５を形成している線状部材５３の凸部５７は、その頂部の中央部直線状部材５７Ａ側の端部に、同様に列方向に延在している端部直線状部材５７Ｂを有している。ここで、食器収納ラック１Ａの中央部分に配置される凸部５７には、頂部中央に配置される中央部直線状部材５７Ａが好ましく、食器収納ラック１Ａの周辺部分に配置される凸部５７には、端部に配置される端部直線状部材５７Ｂが好ましい。例えば、食器収納ラック１Ａが３列で構成されている場合は、中央列の凸部５７には、中央部直線状部材５７Ａが配置されるのが好ましく、左右列の凸部５７には、端部直線状部材５７Ｂが配置されるのが好ましい。同様に、４列の場合は、中央２列に中央部直線状部材５７Ａ、左右列に端部直線状部材５７Ｂが配置されるのが好ましく、１列の場合は、中央部直線状部材５７Ａが配置されるのが好ましい。
【００３６】
このように中央部直線状部材５７Ａと端部直線状部材５７Ｂとを、線状部材５３の凸部５７の頂部に配することで、直線状部材５７Ａ、５７Ｂが仕切りの役割を果たし、互いに幅方向に隣接する食器同士の接触を防止することができる。
【００３７】
また、本実施形態におけるスペーサは、先の実施形態におけるスペーサ７をそのまま用いても良いし、図７に示されるように、上述の下部嵌合部７１及び上部嵌合部７３のみを有する接続部材である簡易スペーサ７Ａとしてもよい。
【００３８】
このように構成することにより、より簡易な接続部材としてのスペーサ７Ａを提供することができる。なお、このスペーサ７Ａは、先の実施形態において用いても良い。
【００３９】
さらに、本実施形態における上部格子状部材は、先の実施形態における上部格子状部材９をそのまま用いても良いし、簡単のため、先の実施形態における下部格子状部材５を上部格子状部材９Ａとして用いても良い。
【００４０】
ここで、図６に示されるように、下部格子状部材５を上部格子状部材９Ａとして用いた場合には、上部格子状部材９Ａの線状部材９３Ａは、凸部９７Ａを有することとなるので、これにより、列方向に隣接している格子ユニット間で食器を誤挿入する虞が低減される。なお、線状部材９３Ａの凸部９７Ａの高さは、収容する食器の大きさに応じて、適宜変更してもよい。
【００４１】
以上、本発明に係る食器収納ラックについて添付図面を参照して説明してきたが、本発明は上記実施形態に限定されるものではなく、本発明の思想の範囲内で種々の変形実施が可能である。例えば、線状部材５３の凸部５７は、載置した際に安定する矩形状であることが好ましいが、Ｕ字状であってもよい。また、収納可能な食器も、所定範囲の大きさであれば、当然に円形状の食器に限られない。
【図面の簡単な説明】
【００４２】
【図１】本発明に係る食器収納ラックの構成を示す斜視図である。
【図２】本発明に係る下部格子状部材を示す斜視図である。
【図３】本発明に係るスペーサを示す斜視図である。
【図４】本発明に係る上部格子状部材を示す斜視図である。
【図５】本発明に係る食器収納ラックの取り付け状態における各構成部材の位置関係を模式的に示す図である。
【図６】本発明に係る食器収納ラックの別の実施形態における各構成部材の位置関係を模式的に示す図である。
【図７】本発明に係るスペーサの別の実施形態を示す斜視図である。
【図８】従来の食器収納ラックの収納ユニットの例を示す図である。
【符号の説明】
【００４３】
１      食器収納ラック
３      箱型ラック
５      下部格子状部材
５Ａ    下部格子状部材
７      スペーサ
７Ａ    簡易スペーサ
９      上部格子状部材
９Ａ    上部格子状部材
１５    最小皿
１７    最大皿
３１    底面
３３    係合部
５１    直線状部材
５３    線状部材
５５    格子ユニット
５７    凸部
５７Ａ  中央部直線状部材
５７Ｂ  端部直線状部材
７１    下部嵌合部
７３    上部嵌合部
９１    直線状部材
９３    直線状部材
９５    格子ユニット
９７Ａ  凸部
１００  方形状の線状部材
１００ａ  側辺
１０３  Ｍ字状の線状部材
Ｘ      高さ
Ｙ      高さ
Ｗ      幅
【図１】
2005040357.tif 000003
【図２】
2005040357.tif 000004
【図３】
2005040357.tif 000005
【図４】
2005040357.tif 000006
【図５】
2005040357.tif 000007
【図６】
2005040357.tif 000008
【図７】
2005040357.tif 000009
【図８】
2005040357.tif 000010